(57)【特許請求の範囲】
【請求項１】
既存家屋の屋根を撤去して梁を露出させる屋根撤去工程と、前記梁の上に角材で枠組を組む枠組工程と、前記枠組の上に断面波形の折板を隙間なく並べて取り付ける折板取付工程と、前記折板の上に該折板の溝方向と交差させてＣ型鋼を支持台としてその開口部を下側にして取り付ける支持台取付工程と、前記Ｃ型鋼の上に屋上床材を敷設する屋上床材敷設工程とを包含する屋上付き家屋に改築する工事の方法であって、前記支持台取付工程は、内周部に雌ねじが形成された筒体を前記折板から上向きに突設するとともに、この筒体の位置に対応させて前記Ｃ型鋼に通孔を形成し、該通孔に挿通した雄ねじ体を前記筒体の雌ねじに螺合させて折板にＣ型鋼を取り付けることを特徴とする屋上付き家屋に改築する工事の方法。
【発明の詳細な説明】
技術分野
この発明は、既存家屋を屋上付き家屋に改築する工事の方法に関する。
背景技術
近年、住環境や生活様式の変化に伴って屋上を備えた家屋に対する関心が高まっており、既存家屋の屋根を撤去して屋上を設ける改築を行うことが多くなっている。従来、この改築を行うに際しては、屋根から天井にかけてを完全に撤去してしまい、新規建築の場合と同じ方法で屋上を構築していた。
このため、上記従来の改築方法は、工期が長くなり、その分工事費用も高くついた。また、工事期間中は居住できないので、その間の生活場所を別に確保しなければならず、精神的にも金銭的にも住人にかかる負担が大きかった。
一般的に屋上付き家屋は屋根がないので断熱性が悪いという欠点を有しているが、従来の改築方法で構築された屋上付き家屋は、上記欠点を克服することができなかった。さらに、適正な屋上床材を使用しないと、雨漏りが発生する虞もある。
本発明は上記事情に鑑みなされたものであって、既存家屋を比較的短期間で容易に屋上付き家屋に改築することができ、しかも改築後の居住性に優れた工事の方法を提供することを課題としている。
発明の開示
本発明にかかる屋上付き家屋に改築する工事の方法は、既存家屋の屋根を撤去して梁を露出させる屋根撤去工程と、前記梁の上に角材で枠組を組む枠組工程と、前記枠組の上に断面波形の折板を隙間なく並べて取り付ける折板取付工程と、前記折板の上に該折板の溝方向と交差させてＣ型鋼を支持台としてその開口部を下側にして取り付ける支持台取付工程と、前記Ｃ型鋼の上に屋上床材を敷設する屋上床材敷設工程とを包含する屋上付き家屋に改築する工事の方法であって、前記支持台取付工程は、内周部に雌ねじが形成された筒体を前記折板から上向きに突設するとともに、この筒体の位置に対応させて前記Ｃ型鋼に通孔を形成し、該通孔に挿通した雄ねじ体を前記筒体の雌ねじに螺合させて折板にＣ型鋼を取り付けることを特徴としている。
本発明は、一般的な日本家屋を屋上付き家屋に改築するのに適した工事の方法である。なお、プレハブ家屋のように屋根部分が断面波形の折板で形成されている場合は、既存の折板をそのまま利用し、屋根撤去工程、枠組工程及び折板取付工程を省くことができる。
支持台としてＣ型鋼を用い、該Ｃ型鋼を開口部を下側にして折板の溝方向と交差させて配置することにより、強固な支持台を容易に構築することができるとともに、完成した屋上付き家屋における天井材と屋上床材との間の空間が広くなり、断熱性に優れるとともに、水漏れ防止も図れるという実用上好ましい効果が得られる。
また、本発明の支持台取付工程によれば、内周部に雌ねじが形成された筒体を前記折板から上向きに突設するとともに、この筒体の位置に対応させて前記Ｃ型鋼に通孔を形成し、該通孔に挿通した雄ねじ体を前記筒体の雌ねじに螺合させて折板にＣ型鋼を取り付けるので、Ｃ型鋼である支持台を折板の上に容易かつ確実に取り付けることができる。
発明を実施するための最良の形態
以下、第１図に示す既存家屋Ａを第２図に示す屋上付き家屋Ｂに改築する工事を例にとって、本発明を具体的に説明する。
改築工事に際しては、まず既存家屋Ａの屋根１を撤去して梁を露出させる（屋根撤去工程）。第３図は屋根撤去工程を終了した状態を示す工事箇所の斜視図であり、縦横に組まれた梁２が露出している。梁２の下側には天井材３がそのまま残されている。
次に、第４図に示すように、梁２の上に角材４で枠組を組む（枠組工程）。図示した実施の形態では、角材として鋼管４を使用し、これを格子状に組んでいる。鋼管同士の連結方法としては、例えば第５図に示すように、縦向きの鋼管４（１）にＬ型の連結片５を溶接で取り付け、この連結片５と横向きの鋼管４（２）とをボルト６とナット７で固定するとよい。
また、次の折板取付工程の前工程として、第６図に示すように、鋼管４の上面に折板支持体８を取り付ける。この折板支持体８の頂部には、雄ねじ棒９が上向きに突出させて設けられている。
そして、第７図に示すように、鋼管４の枠組の上に断面波形の折板１０を隙間なく並べ、該折板１０に形成されている通孔１０ａに前記雄ねじ棒９を挿通し、その雄ねじ棒９に座金１１を嵌合させてからナット１２を螺着して折板１０を固定状態に取り付ける（折板取付工程）。隣接する折板１０同士は固定しない。折板１０を溝方向に若干勾配をつけて並べると、排水が良好である。
さらに、雄ねじ棒９のナット１２よりも上端側部分に、内周部に雌ねじ１３ａが形成された筒体１３を螺着する。螺着状態では雄ねじ棒９の上端よりも筒体１３の上端の方が高くなっている。したがって、内周部に雌ねじ１３ａが形成された筒体１３が折板１０から上向きに突設された状態となる。また、筒体１３の長さは、筒体１３の上端位置が後記Ｃ型鋼１４と後述する位置関係となるように定められている。
次いで、第８図に示すように、折板１０の上に該折板の溝方向と交差させて屋上床材の支持台１４を配置し、該支持台に形成された通孔１４ａに雄ねじ体としてのボルト１５を上から挿通し、これを前記筒体１３の雌ねじ１３ａに螺合させることにより支持台１４を取り付ける（支持台取付工程）。支持台１４としてはＣ型鋼を使用し、該Ｃ型鋼を開口部を下側にして配置してある。筒体１３の上端がＣ型鋼の下面にほぼ接しているので、ボルト１５と雌ねじ１３ａの位置合わせが容易である。
最後に、第９図に示すように、支持台１４の上に屋上床材１６を敷設する（屋上床材敷設工程）。屋上床材１６は、第１０図に示すように、一方の端縁には平板状の第一垂下部１６ａが形成され、他方の端縁には底面のレベルが前記第一垂下部１６ａの下端のレベルとほぼ同じの溝を有する第二垂下部１６ｂが形成された形状をしている。第二垂下部１６ｂの溝に隣りの屋上床材１６の第一垂下部１６ａが嵌合する状態で各屋上床材１６を敷設し、ねじ式固着具１７によって支持台１４に固着する。これにより、隣り合う屋上床材１６同士の間に水が入っても、その水は第二垂下部１６ｂの溝に受けられ、これより内部に侵入しない。
このように構築された屋上付き家屋Ｂは、天井材３と屋上床材１６との間に折板１０によって上下に仕切られた２空間が形成されるので、断熱性がよい。また、屋上床材の支持台１４としてＣ型鋼が用いられているので、天井材３と屋上床材１６との間の空間が広くなり、断熱に有効な構造となっている。
以上は一般的な日本家屋を屋上付き家屋に改築する工事の方法について説明したが、本発明は日本家屋以外にも適用可能である。例えば、第１１図に示すプレハブ家屋のように屋根部分が断面波形の折板１０で形成されている場合は、既存の折板１０をそのまま利用し、屋根撤去工程、枠組工程及び折板取付工程を省くことができる。
産業上の利用可能性
以上に説明したように、本発明にかかる屋上付き家屋に改築する工事の方法によれば、天井部を解体することなく屋上を構築するので、工期が短く工事費用も安くあがり、しかも工事中も居住することができる。特に、プレハブ家屋のように屋根部分が断面波形の折板で形成されている場合は、既存の折板をそのまま利用することができ、工事が簡略である。また、本発明による工事の方法で改築されたり屋上付き家屋は、天井部と屋上床材との間に空間を広くとることができるので、通風性や断熱性に優れた良好な居住環境が得られる。
【図１】
0003668893.tif 000002
【図２】
0003668893.tif 000003
【図３】
0003668893.tif 000004
【図４】
0003668893.tif 000005
【図５】
0003668893.tif 000006
【図６】
0003668893.tif 000007
【図７】
0003668893.tif 000008
【図８】
0003668893.tif 000009
【図９】
0003668893.tif 000010
【図１０】
0003668893.tif 000011
【図１１】
0003668893.tif 000012